(57)【要約】【課題】小型化が図れ、何れかのキートップの動作に対してその周囲のキートップが干渉しにくい構造のフイルム板付きキートップ体を提供する。【解決手段】フイルム板２０に複数のキートップ本体３０を成形することで複数のキートップ１０−１〜５（中央キートップ１０−１と外周キートップ１０−２〜５）を形成してなる構造のフイルム板付きキートップ体１である。キートップ１０−１〜５間をフイルム板２０で構成される連結部２５，２７（外周連結部２５と中央連結部２７）によって連結する。外周キートップ１０−２〜５は外周連結部２５によって連結される。外周連結部２５と中央連結部２７の分岐部分にこのフイルム板付きキートップ体１を他の部材に位置決めするための位置決め孔２９を設ける。【選択図】      図１
2004185833.tif 000002
【特許請求の範囲】
【請求項１】
フイルム板に複数のキートップ本体を成形することで複数のキートップを形成してなる構造のフイルム板付きキートップ体において、
複数のキートップ間を前記フイルム板で構成される連結部によって連結するとともに、連結部の少なくとも一つ以上にこのフイルム板付きキートップ体を他の部材に位置決めするための位置決め孔を設けたことを特徴とするフイルム板付きキートップ体。
【請求項２】
前記キートップは、中央キートップと該中央キートップの周囲に位置している複数の外周キートップとからなり、該外周キートップ間は外周連結部によって連結され、前記中央キートップは前記外周連結部の途中から分岐する中央連結部によって連結されていることを特徴とする請求項１に記載のフイルム板付きキートップ体。
【請求項３】
前記位置決め孔は、前記外周連結部から引き出して形成される位置決め孔形成部に設けられることを特徴とする請求項２に記載のフイルム板付きキートップ体。
【発明の詳細な説明】
【０００１】
【発明の属する技術分野】
本発明は、フイルム板に複数のキートップ本体を成形することで複数のキートップを形成してなる構造のフイルム板付きキートップ体に関するものである。
【０００２】
【従来の技術】
従来、小型・薄型化を図るために例えば特許文献１に示すように、合成樹脂フイルムからなるフイルム板に直接複数の合成樹脂製のキートップ本体を成形することで複数のキートップを形成してなる構造のフイルム板付きキートップ体が開発されている。
【０００３】
この種のキートップ体は、例えば引用文献１の図２に示すように、その上にケースを被せ、ケースに設けた開口から各キートップの上部を露出し、開口から露出したキートップを押圧することでキートップの下面側に設置したスイッチ接点をオンするように使用される。
【０００４】
そしてキートップ体がケース等の他の部材に対してガタを生じないようにするため、キートップ体を構成するフイルム板の周囲の部分に位置決め孔を設け、この位置決め孔をケースやその他の部材に設けた係止突起に挿入・係合し、これによってその位置決めを行なっていた。
【０００５】
しかしながら上記従来の方法によるキートップ体の位置決め構造の場合、キートップ体の位置決め孔が、前述のようにキートップ体を構成するフイルム板の周囲に設けられるので、キートップ体全体の外形寸法が大きくなり、小型化が阻害されるという問題点があった。
【０００６】
また複数のキートップが１枚のフイルム板上に形成されているので、何れかのキートップを押圧してこれを降下させた場合、周囲のキートップもこれに連動して降下してしまうという問題点もあった。この問題は各キートップ間の間隔が狭くなればなるほど、即ちキートップ体が小型化されればされるほど大きくなる。
【０００７】
【特許文献１】
特開平７−３０２５２６号公報
【０００８】
【発明が解決しようとする課題】
本発明は上述の点に鑑みてなされたものでありその目的は、小型化が図れ、また何れかのキートップの動作に対してその周囲のキートップが干渉しにくい構造のフイルム板付きキートップ体を提供することにある。
【０００９】
【課題を解決するための手段】
上記問題点を解決するため本発明にかかるフイルム板付きキートップ体は、フイルム板に複数のキートップ本体を成形することで複数のキートップを形成してなる構造のフイルム板付きキートップ体において、複数のキートップ間を前記フイルム板で構成される連結部によって連結するとともに、連結部の少なくとも一つ以上にこのフイルム板付きキートップ体を他の部材に位置決めするための位置決め孔を設けたことを特徴とする。
【００１０】
また本発明は、前記キートップが、中央キートップと該中央キートップの周囲に位置している複数の外周キートップとからなり、該外周キートップ間は外周連結部によって連結され、前記中央キートップは前記外周連結部の途中から分岐する中央連結部によって連結されていることを特徴とする。
【００１１】
また本発明は、前記位置決め孔が、前記外周連結部から引き出して形成される位置決め孔形成部に設けられることを特徴とする。
【００１２】
【発明の実施の形態】
以下、本発明の実施の形態を図面を参照して詳細に説明する。
図１は本発明の一実施の形態にかかるフイルム板付きキートップ体（以下単に「キートップ体」という）１を示す図であり、図１（ａ）は斜視図、図１（ｂ）は図１（ａ）のＡ−Ａ断面図である。同図に示すようにキートップ体１は、中央のキートップ（以下「中央キートップ」という）１０−１の周囲に四つのキートップ（以下「外周キートップ」という）１０−２，３，４，５を設置し、各キートップ１０−１，２，３，４，５間を連結部（以下「外周連結部」という）２５又は連結部（以下「中央連結部」という）２７によって一体に連結して構成されている。以下各構成部分について詳細に説明する。なお中央キートップ１０−１と外周キートップ１０−２〜５の両者を同時に指す場合は、「キートップ」といい、外周連結部２５と中央連結部２７の両者を同時に指す場合は、「連結部」という。
【００１３】
この実施の形態においては、各キートップ１０−１，２，３，４，５の形状は同一である。即ち何れのキートップ１０−１〜５も、平板状のフイルム板２０を上方向に湾曲変形させて各キートップ１０−１〜５の上部形状と同一形状とし、この湾曲部の下面側の凹部内にキートップ本体３０を成形することで構成されている。つまりこの実施の形態における各キートップ１０−１〜５は、上方向に湾曲変形させたフイルム板２０によってキートップ本体３０の上面を覆う構造に構成されている。キートップ本体３０の下面からは図示しないスイッチ接点を押圧する押圧部３５が突出している。
【００１４】
一方各キートップ１０−１〜５の外周にはフイルム板２０がはみ出しており、この外周に位置するフイルム板２０がつば部２３を構成している。隣り合う外周キートップ１０−２，３，４，５間は、それぞれつば部２３の外周から突出する合計四本の外周連結部２５によってリング状（多角形状を含む、以下同じ）に連結されている。中央キートップ１０−１は前記リング状に連結した四本の各外周連結部２５の途中（中央）から分岐して中央に向かい、中央キートップ１０−１のつば部２３に連結・接続される四本の中央連結部２７によって連結されている。外周連結部２５と中央連結部２７の各分岐部分（四ヶ所）にはこのキートップ体１を他の部材に位置決めするための位置決め孔２９が設けられている。
【００１５】
なおつば部２３を設けた理由は以下による。即ちこのキートップ体１の上を覆う図示しないケースの開口部から各キートップ１０−１〜５を露出した際のケースの開口部とキートップ１０−１〜５側面の隙間からケース内が見えるのを防いだり、さらには前記ケースの開口部より所定寸法以上にキートップ１０−１〜５が上方に露出するのを防ぐためである。なお隙間が小さければこのつば部２３はなくてもよい。
【００１６】
以上のように構成されたキートップ体１は、その上面側に図示しないケースを設置し、ケースに設けた開口部から各キートップ１０−１〜５の上部を露出し、一方各キートップ１０−１〜５の押圧部３５の下側に図示しないスイッチ接点を設置し、各キートップ１０−１〜５のケースの開口部から露出する上面を押圧することでスイッチ接点を押圧してこれをオンする。一方キートップ体１に設けた各位置決め孔２９は、ケース又はスイッチ接点を設けたスイッチ基板側の部材から突出する図示しない係止突起に挿入・係合されて位置決めされる。
【００１７】
そして上記実施の形態にかかるキートップ体１は各キートップ１０−１〜５間を連結部２５，２７によって連結するようにしたので、何れかのキートップ１０−１〜５を押圧してこれを降下させた場合でも、周囲の別のキートップ１０−１〜５がこれに連動して降下する量は少ない。何故なら各キートップ１０−１〜５間にフイルム板２０をカットした開口部３７を設けることで各キートップ１０−１〜５間を連結部２５，２７のみによって連結するように構成したので、各キートップ１０−１〜５はそれぞれ独立にスムーズな動作が可能となるからである。このように各キートップ１０−１〜５は略独立に動作するので、たとえキートップ板１を小型化して各キートップ１０−１〜５間の離間距離が短くなっても、各キートップ１０−１〜５のそれぞれ独立した押圧動作に支障は生じない。特にこの実施の形態の場合、周囲四つの外周キートップ１０−２〜５が外周連結部２５によってリング状に連結されているので、キートップ体１を取り扱う際に各キートップ１０−１〜５がばらばらに動かず、その取り扱いが容易になる。
【００１８】
さらに上記実施の形態にかかるキートップ体１は各位置決め孔２９を各外周連結部２５の途中に設けたので、各位置決め孔２９は各外周キートップ１０−２〜５の間に位置し、これら位置決め孔２９を特許文献１の図１に示すようにキートップ板の複数のキートップを設けた部分全体のさらに外周側に設ける必要がなく、これによってキートップ体１の外形寸法の小型化が図れる。さらにこれら位置決め孔２９を外周連結部２５と中央連結部２７の各分岐部分に設けたので、キートップ１０−１〜５から外方に伸びる全ての連結部２５，２７の何れに対しても位置決め孔２９が設けられることとなり位置決めが図れるので、各キートップ１０−１〜５の位置決めによるガタの防止と、それぞれの独立した動作とがより確実に行なえる。
【００１９】
そしてこのキートップ体１を製造するには、まず何ら穴のない平板状の可撓性を有する合成樹脂フイルム（例えば熱可塑性フイルムであるポリエチレンテレフタレートフイルム）製のフイルム板２０を用意する。次にこのフイルム板２０をプレス加工によるプレフォーミングによって図２（ａ）に示すように、フイルム板２０中に各キートップ１０−１〜５の上部形状と同一形状の上方向に湾曲する湾曲部を形成する。
【００２０】
次にこのフイルム板２０の上下を図２（ｂ）に示すように第一，第二金型５０，６０によって挟持する。このとき第一金型５０のキャビティーＣ１は各キートップ１０−１〜５の上部形状と同一形状であり、第二金型６０のキャビティーＣ２は各キートップ１０−１〜５の下部形状と同一形状である。従ってこのときフイルム板２０の前記予めプレフォーミングした湾曲部はキャビティーＣ１の内周面に当接する。そしてキャビティーＣ２に接続したピンゲート７０から溶融した高温高圧の合成樹脂（例えば熱可塑性の合成樹脂であるＡＢＳ樹脂やポリメチルメタアクリレートやポリカーボネートやポリエチレンテレフタレート等）を注入（射出）すれば、両キャビティーＣ１，Ｃ２内が溶融合成樹脂で満たされる。
【００２１】
そして前記溶融合成樹脂が固化した後に第一，第二金型５０，６０を取り外し、フイルム板２０を所望の外形形状にカットすれば、図１に示すように中央キートップ１０−１の周囲に四つの外周キートップ１０−２，３，４，５を設置し、各キートップ１０−１，２，３，４，５間を連結部２５，２７によって連結した構造のキートップ体１が完成する。
【００２２】
なおキートップ本体３０の上面を湾曲変形したフイルム板２０で覆う構造のキートップ１０−１〜５の製造方法としては他にも種々の方法があり、例えば平板状のフイルム板２０を図２（ｂ）に示す両金型５０，６０の間に挟持し、ピンゲート７０から射出される高温高圧の溶融合成樹脂の熱と圧力とによって、キャビティーＣ１，Ｃ２に面する平板状のフイルム板２０をキャビティーＣ１内周面まで押し上げるように湾曲変形させ、これによって前記各キートップ１０−１〜５を製造するようにしても良い。
【００２３】
図３（ａ），（ｂ）はそれぞれ本発明の他の実施の形態にかかるキートップ体１−２，１−３を示す斜視図である。同図において前記図１に示すキートップ体１と同一又は相当部分には同一符号を付す。即ち本発明においては、図３（ａ）に示すキートップ体１−２のように、複数のキートップ１０−６，７，８を連結部２５´によって直線状に連結し、各連結部２５´の途中（中央）に位置決め孔２９を設けるように構成しても良く、また図３（ｂ）に示すキートップ体１−３のように、中央キートップ１０−９と外周キートップ１０−１０〜１３とを中央連結部２７´によって放射状に連結し、各中央連結部２７´の途中（中央）に位置決め孔２９を設けるように構成しても良い。さらに連結するキートップの数や連結部による連結構造は種々の変形が可能であり、要は複数のキートップ間をフイルム板で構成される一つ以上の連結部によって連結するとともに、連結部の中（途中、できれば中央）にキートップ体を他の部材に位置決めするための位置決め孔を設ける構造であればどのような構造であってもよい。
【００２４】
また本発明のキートップ体を構成するキートップの構造も種々の変形が可能である。図４はキートップの構造を変更した本発明のさらに他の実施の形態にかかるキートップ体１−４を示す図であり、図４（ａ）は斜視図、図４（ｂ）は図４（ａ）のＡ−Ａ断面図である。同図において前記図１に示すキートップ体１と同一又は相当部分には同一符号を付す。このキートップ体１−４も、中央キートップ１０−１４の周囲に四つの外周キートップ１０−１５，１６，１７，１８を設置し、各キートップ１０−１４〜１８間を各つば部２３を介して外周連結部２５と中央連結部２７によって一体に結合し、外周連結部２５と中央連結部２７の分岐部分に位置決め孔２９を設けている。このキートップ体１−４において前記キートップ体１と相違する点は、キートップ１０−１４〜１８の構造である。
【００２５】
即ちこの実施の形態にかかるキートップ１０−１４〜１８は、図４（ｂ）に示すように、何れも平板状のフイルム板２０に設けた貫通する穴２１を介してその上下に合成樹脂製のキートップ本体３０を取り付けて（成形して）構成されている。キートップ本体３０は、フイルム板２０の上側に取り付くキートップ本体上面部３１と、フイルム板２０の下面に取り付くキートップ本体下面部３３とによってフイルム板２０を挟持することで、フイルム板２０に固定されている。
【００２６】
図５は連結部２５，２７の形状を変更した本発明のさらに他の実施の形態にかかるキートップ体１−５を示す図であり、図５（ａ）は斜視図、図５（ｂ）は平面図である。同図において前記図４に示すキートップ体１−４と同一又は相当部分には同一符号を付す。このキートップ体１−５も、中央キートップ１０−１９の周囲に四つの外周キートップ１０−２０，２１，２２，２３を設置し、各キートップ１０−１９〜２３間を各つば部２３を介して外周連結部２５と中央連結部２７によって一体に結合して構成されている。また各キートップ１０−１９〜２３の構造は前記キートップ体１−４の各キートップ１０−１４〜１８の構造と同じである。
【００２７】
このキートップ体１−５において前記キートップ体１−４と相違する点は、外周連結部２５の構造と、中央連結部２７の本数である。即ちこのキートップ体１−５の外周連結部２５も外周キートップ１０−２０〜２３間を連結する点は前記各実施の形態と同様であるが、この外周連結部２５の場合、外周連結部２５の途中の部分（中間部分）からキートップ１０−２０〜２３間にて外方に向けて位置決め孔形成部４０を引き出して（突出して）形成し、この位置決め孔形成部４０の先端近傍に位置決め孔２９を設けている。なお外周連結部２５は位置決め孔形成部４０を含む概念である。また中央連結部２７は二本のみ設けられ、且つこれら二本の中央連結部２７は中央キートップ１０−１９の中心から見て９０°の方向に設けられている。つまり二本の中央連結部２７は中央キートップ１０−１９の中心から見て１８０°対向する方向には設けられていない。
【００２８】
以上のようにキートップ体１−５を構成すると、各キートップ１０−１９〜２３の独立した動作が前記各実施の形態に比べてさらに良好になる。即ちこのキートップ体１−５は外周連結部２５から引き出した位置決め孔形成部４０においてキートップ体１０−５の他の部材への固定が行なわれるので、１つの外周キートップ１０−２０〜２３を押圧した際、その両側で固定されている位置決め孔２９が直線状の外周連結部２５の途中になくて直線状の外周連結部２５の途中から更に各キートップ１０−２０〜２３の略外側位置（図５（ｂ）中の曲線Ｇ）まで延出した位置にあるため、キートップ１０−２０〜２３と位置決め孔２９までの距離が更に長くなり、位置決め孔２９を直線状の外周連結部２５の途中に設けた場合に比べて、さらに外周キートップ１０−２０〜２３の動作が阻害されず、従って各外周キートップ１０−２０〜２３の動作がさらに独立する。
【００２９】
またこの実施の形態においては、二本の中央連結部２７を中央キートップ１０−１９の中心から見て１８０°対向する方向に設けず、９０°の方向に設けているので、これら中央連結部２７を中心にして容易に揺動し、その押圧動作をさらに独立してスムーズに行える。
【００３０】
以上本発明の実施の形態を説明したが、本発明は上記実施の形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば上記実施の形態ではキートップ体に設けた全ての連結部にそれぞれ１つずつの位置決め孔を設けたが、位置決め孔はキートップ体に設けた連結部の少なくとも一つ以上に設ければ良い。また一つの連結部に設ける位置決め孔の数が二以上であってもよい。
【００３１】
【発明の効果】
以上詳細に説明したように本発明によれば、以下のような効果を有する。
▲１▼複数のキートップ間をフイルム板で構成される連結部によって連結したので、何れかのキートップを押圧してこれを降下させた場合でも、周囲の別のキートップがこれに連動して降下する量は少なく、各キートップをそれぞれ独立に動作可能とすることができる。従ってたとえキートップ板を小型化しても、各キートップの押圧動作に支障は生じない。
【００３２】
▲２▼連結部の途中にキートップ体を他の部材に正確に位置決めして取り付けるための位置決め孔を設けたので、各キートップの押圧動作の際に各キートップががたつくことはなく、同時に位置決め孔をキートップ板の各キートップの間の位置に設けることでキートップ体の外形寸法の小型化が図れる。
【００３３】
▲３▼中央キートップと該中央キートップの周囲に位置している複数の外周キートップとからなり、外周キートップ間を外周連結部によって連結し、中央キートップを外周連結部の途中から分岐する中央連結部によって連結した場合は、各キートップ間を短い間隔で設置して連結しても、各キートップの独立した動作が確保できる。
【００３４】
▲４▼位置決め孔を外周連結部から引き出して形成される位置決め孔形成部に設けたので、位置決め孔の部分が他の部材に固定されても外周キートップの動作が阻害されず、各外周キートップの動作がさらに独立する。
【図面の簡単な説明】
【図１】本発明の一実施の形態にかかるフイルム板付きキートップ体１を示す図であり、図１（ａ）は斜視図、図１（ｂ）は図１（ａ）のＡ−Ａ断面図である。
【図２】図２（ａ），（ｂ）はキートップ体１の製造方法を示す図である。
【図３】図３（ａ），（ｂ）はそれぞれ本発明の他の実施の形態にかかるキートップ体１−２，１−３を示す斜視図である。
【図４】キートップの構造を変更した本発明のさらに他の実施の形態にかかるキートップ体１−４を示す図であり、図４（ａ）は斜視図、図４（ｂ）は図４（ａ）のＡ−Ａ断面図である。
【図５】本発明のさらに他の実施の形態にかかるキートップ体１−５を示す図であり、図５（ａ）は斜視図、図５（ｂ）は平面図である。
【符号の説明】
１  フイルム板付きキートップ体（キートップ体）
１０−１  中央キートップ（キートップ）
１０−２，３，４，５  外周キートップ（キートップ）
２０  フイルム板
２３  つば部
２５  外周連結部（連結部）
２７  中央連結部（連結部）
２９  位置決め孔
３０  キートップ本体
３７  開口部
５０  第一金型
Ｃ１  キャビティー
６０  第二金型
Ｃ２  キャビティー
７０  ピンゲート
１−２，１−３  キートップ体
１０−６，７，８，９，１０，１１，１２，１３  キートップ
１−４  キートップ体
１０−１４  中央キートップ（キートップ）
１０−１５，１６，１７，１８  外周キートップ（キートップ）
３１  キートップ本体上面部
３３  キートップ本体下面部
１−５  キートップ体
１０−１９  中央キートップ（キートップ）
１０−２０，２１，２２，２３  外周キートップ（キートップ）
４０  位置決め孔形成部
【図１】
2004185833.tif 000003
【図２】
2004185833.tif 000004
【図３】
2004185833.tif 000005
【図４】
2004185833.tif 000006
【図５】
2004185833.tif 000007
【手続補正書】
【提出日】平成15年7月4日(2003.7.4)
【手続補正１】
【補正対象書類名】明細書
【補正対象項目名】特許請求の範囲
【補正方法】変更
【補正の内容】
【特許請求の範囲】
【請求項１】
フイルム板に複数のキートップ本体を成形することで複数のキートップを形成してなる構造のフイルム板付きキートップ体において、
前記キートップは、中央キートップと該中央キートップの周囲に位置している複数の外周キートップとからなり、該外周キートップ間は前記フイルム板で構成される外周連結部によって連結され、前記中央キートップは前記外周連結部の途中から分岐する中央連結部によって連結され、
前記外周連結部と中央連結部の少なくとも一つ以上にこのフイルム板付きキートップ体を他の部材に位置決めするための位置決め孔を設けたことを特徴とするフイルム板付きキートップ体。
【請求項２】
フイルム板に複数のキートップ本体を成形することで複数のキートップを形成してなる構造のフイルム板付きキートップ体において、
前記キートップは、中央キートップと該中央キートップの周囲に位置している複数の外周キートップとからなり、該外周キートップ間は前記フイルム板で構成される外周連結部によって連結され、前記中央キートップは前記外周連結部の途中から分岐する中央連結部によって連結され、
前記外周連結部から引き出して形成される位置決め孔形成部に、このフイルム板付きキートップ体を他の部材に位置決めするための位置決め孔を設けたことを特徴とするフイルム板付きキートップ体。
【手続補正２】
【補正対象書類名】明細書
【補正対象項目名】０００９
【補正方法】変更
【補正の内容】
【０００９】
【課題を解決するための手段】
上記問題点を解決するため本発明は、フイルム板に複数のキートップ本体を成形することで複数のキートップを形成してなる構造のフイルム板付きキートップ体において、キートップは、中央キートップと該中央キートップの周囲に位置している複数の外周キートップとからなり、該外周キートップ間はフイルム板で構成される外周連結部によって連結され、中央キートップは前記外周連結部の途中から分岐する中央連結部によって連結され、外周連結部と中央連結部の少なくとも一つ以上にこのフイルム板付きキートップ体を他の部材に位置決めするための位置決め孔を設けたことを特徴とする。


【手続補正３】
【補正対象書類名】明細書
【補正対象項目名】００１０
【補正方法】変更
【補正の内容】
【００１０】
また本発明は、フイルム板に複数のキートップ本体を成形することで複数のキートップを形成してなる構造のフイルム板付きキートップ体において、キートップは、中央キートップと該中央キートップの周囲に位置している複数の外周キートップとからなり、該外周キートップ間はフイルム板で構成される外周連結部によって連結され、前記中央キートップは前記外周連結部の途中から分岐する中央連結部によって連結され、外周連結部から引き出して形成される位置決め孔形成部に、このフイルム板付きキートップ体を他の部材に位置決めするための位置決め孔を設けたことを特徴とする。


【手続補正４】
【補正対象書類名】明細書
【補正対象項目名】００１１
【補正方法】削除
【補正の内容】
【手続補正５】
【補正対象書類名】明細書
【補正対象項目名】００２３
【補正方法】変更
【補正の内容】
【００２３】
図３（ａ），（ｂ）はそれぞれ本発明の参考例にかかるキートップ体１−２，１−３を示す斜視図である。同図において前記図１に示すキートップ体１と同一又は相当部分には同一符号を付す。即ち本参考例においては、図３（ａ）に示すキートップ体１−２のように、複数のキートップ１０−６，７，８を連結部２５´によって直線状に連結し、各連結部２５´の途中（中央）に位置決め孔２９を設けるように構成しても良く、また図３（ｂ）に示すキートップ体１−３のように、中央キートップ１０−９と外周キートップ１０−１０〜１３とを中央連結部２７´によって放射状に連結し、各中央連結部２７´の途中（中央）に位置決め孔２９を設けるように構成しても良い。さらに連結するキートップの数や連結部による連結構造は種々の変形が可能であり、要は複数のキートップ間をフイルム板で構成される一つ以上の連結部によって連結するとともに、連結部の中（途中、できれば中央）にキートップ体を他の部材に位置決めするための位置決め孔を設ける構造であればどのような構造であってもよい。


【手続補正６】
【補正対象書類名】明細書
【補正対象項目名】００３１
【補正方法】変更
【補正の内容】
【００３１】
【発明の効果】
以上詳細に説明したように本発明によれば、以下のような効果を有する。
（１）中央キートップと該中央キートップの周囲に位置している複数の外周キートップとからなり、外周キートップ間を外周連結部によって連結し、中央キートップを外周連結部の途中から分岐する中央連結部によって連結したので、何れかのキートップを押圧してこれを降下させた場合でも、周囲の別のキートップがこれに連動して降下する量は少なく、各キートップをそれぞれ独立に動作可能とすることができる。従ってたとえキートップ体を小型化して各キートップ間を短い間隔で設置して連結しても、各キートップの押圧動作に支障は生じない。


【手続補正７】
【補正対象書類名】明細書
【補正対象項目名】００３２
【補正方法】変更
【補正の内容】
【００３２】
（２）連結部（外周連結部と中央連結部）の途中にキートップ体を他の部材に正確に位置決めして取り付けるための位置決め孔を設けたので、各キートップの押圧動作の際に各キートップががたつくことはなく、同時に位置決め孔をキートップ体の各キートップの間の位置に設けることでキートップ体の外形寸法の小型化が図れる。


【手続補正８】
【補正対象書類名】明細書
【補正対象項目名】００３３
【補正方法】変更
【補正の内容】
【００３３】
（３）位置決め孔を外周連結部から引き出して形成される位置決め孔形成部に設けたので、位置決め孔の部分が他の部材に固定されても外周キートップの動作が阻害されず、各外周キートップの動作がさらに独立する。
【手続補正９】
【補正対象書類名】明細書
【補正対象項目名】００３４
【補正方法】削除
【補正の内容】
【手続補正１０】
【補正対象書類名】明細書
【補正対象項目名】図３
【補正方法】変更
【補正の内容】
【図３】図３（ａ），（ｂ）はそれぞれ本発明の参考例にかかるキートップ体１−２，１−３を示す斜視図である。




【手続補正書】
【提出日】平成15年11月13日(2003.11.13)
【手続補正１】
【補正対象書類名】明細書
【補正対象項目名】特許請求の範囲
【補正方法】変更
【補正の内容】
【特許請求の範囲】
【請求項１】
フイルム板に複数のキートップ本体を成形することで複数のキートップを形成してなる構造のフイルム板付きキートップ体において、
前記キートップは、中央キートップと該中央キートップの周囲に位置している複数の外周キートップとからなり、該外周キートップ間は前記フイルム板で構成される外周連結部のみによって連結され、前記中央キートップは前記外周連結部の途中から分岐する中央連結部のみによって連結され、
前記外周連結部の途中の部分から外方に向けて引き出して形成される位置決め孔形成部に、このフイルム板付きキートップ体を他の部材に位置決めするための位置決め孔を設け、且つ前記中央連結部は中央キートップの中心から見て９０°の方向に二本のみ設けられていることを特徴とするフイルム板付きキートップ体。
【手続補正２】
【補正対象書類名】明細書
【補正対象項目名】０００９
【補正方法】変更
【補正の内容】
【０００９】
【課題を解決するための手段】
上記問題点を解決するため本発明は、フイルム板に複数のキートップ本体を成形することで複数のキートップを形成してなる構造のフイルム板付きキートップ体において、キートップは、中央キートップと該中央キートップの周囲に位置している複数の外周キートップとからなり、該外周キートップ間はフイルム板で構成される外周連結部のみによって連結され、中央キートップは前記外周連結部の途中から分岐する中央連結部のみによって連結され、外周連結部の途中の部分から外方に向けて引き出して形成される位置決め孔形成部に、このフイルム板付きキートップ体を他の部材に位置決めするための位置決め孔を設け、且つ前記中央連結部は中央キートップの中心から見て９０°の方向に二本のみ設けられていることを特徴とする。


【手続補正３】
【補正対象書類名】明細書
【補正対象項目名】００１０
【補正方法】削除
【補正の内容】
【手続補正４】
【補正対象書類名】明細書
【補正対象項目名】００３１
【補正方法】変更
【補正の内容】
【００３１】
【発明の効果】
以上詳細に説明したように本発明によれば、以下のような効果を有する。
（１）中央キートップと該中央キートップの周囲に位置している複数の外周キートップとからなり、外周キートップ間を外周連結部のみによって連結し、中央キートップを外周連結部の途中から分岐する中央連結部のみによって連結したので、何れかのキートップを押圧してこれを降下させた場合でも、周囲の別のキートップがこれに連動して降下する量は少なく、各キートップをそれぞれ独立に動作可能とすることができる。従ってたとえキートップ体を小型化して各キートップ間を短い間隔で設置して連結しても、各キートップの押圧動作に支障は生じない。


【手続補正５】
【補正対象書類名】明細書
【補正対象項目名】００３３
【補正方法】変更
【補正の内容】
【００３３】
（３）位置決め孔を外周連結部の途中の部分から外方に向けて引き出して形成される位置決め孔形成部に設けたので、位置決め孔の部分が他の部材に固定されても外周キートップの動作が阻害されず、各外周キートップの動作がさらに独立する。